(57)【要約】【課題】安全性の高い有効成分を使用して、オオウズラタケ、カワラタケなどの木材腐朽菌に対する強力な防除効果、および／またはヤマトシロアリやイエシロアリなどに対する防蟻効果を発揮するとともに、取扱い性および作業性に優れ、かつ、有効成分の残存性の高い木材防腐・防蟻剤を提供する。【解決手段】木材腐朽菌に対する抗菌活性および／または防蟻活性を有するアルデヒドまたはケトンのオキシム化物を有効成分として含有する木材防腐・防蟻剤により、上記課題を解決する。【特許請求の範囲】
【請求項１】
木材腐朽菌に対する抗菌活性を有するアルデヒドまたはケトンのオキシム化物を有効成分として含有する木材防腐剤。
【請求項２】
木材腐朽菌に対する抗菌活性を有するアルデヒドまたはケトンが桂皮アルデヒドである請求項１記載の木材防腐剤。
【請求項３】
防蟻活性を有するアルデヒドまたはケトンのオキシム化物を有効成分として含有する木材防蟻剤。
【請求項４】
防蟻活性を有するアルデヒドまたはケトンが桂皮アルデヒドである請求項３記載の木材防蟻剤。
【請求項５】
木材腐朽菌に対する抗菌活性および防蟻活性の少なくとも一方を有するアルデヒドまたはケトンのオキシム化物を有効成分として含有する木材防腐・防蟻剤で、木材を処理することを特徴とする木材の処理方法。
【請求項６】
木材腐朽菌に対する抗菌活性および防蟻活性の少なくとも一方を有するアルデヒドまたはケトンが桂皮アルデヒドである請求項５記載の処理方法。
【発明の詳細な説明】
【０００１】
【発明の属する技術の分野】
この発明は、木材防腐・防蟻剤およびそれを用いる木材の処理方法に関する。さらに詳しくは、オオウズラタケ、カワラタケおよびナミダタケなどによる木材の腐朽や、ヤマトシロアリやイエシロアリなどによる木材の蟻害を防止または抑制できる、安全性に優れた木材防腐・防蟻剤およびそれを用いる木材の処理方法に関する。
【０００２】
【従来の技術】
木材は軽量でありながら強度が大きいことや、加工のしやすさ、人体にやさしいなど、その優れた特質により様々な分野で重用されている。しかしながら、生物系材料であるために避けられない幾つかの欠点、すなわち燃え易い、狂い易い、腐り易い、虫に食われ易い、変色し易い、割れ易いなどの性質を併せもっている。これらの欠点、特に木材腐朽菌による腐朽や、シロアリなどによる虫害を防ぐことは、木材の供用期間の延長や木材製品の信頼性向上のために必要不可欠であり、これらの欠点が克服されれば、資源としての木材をより一層有効に利用でき、ひいては地球環境の保全に大きく寄与できる。
【０００３】
このような点に鑑み、生物劣化の防除薬剤すなわち木材防腐剤や、木材防蟻剤として、フェノール系化合物、有機ハロゲン系化合物、有機錫系化合物、ナフテン酸系化合物およびタール系化合物などの有機系薬剤や、銅化合物、クロム化合物とヒ素化合物との混合物であるＣＣＡ薬剤、ニッケル化合物、銅化合物と有機系薬剤との併用、ならびに第４級アンモニウム塩とホウ酸系化合物と水溶性アルカノールアミンと亜鉛イオン供給化合物とから構成される薬剤などが提案されている。
【０００４】
上記の木材防腐剤の中で、有機系薬剤は効力の持続性および安全性に問題があり、また有害な元素や重金属を含有する薬剤は、環境規制に抵触する懸念があることからその使用が制限されたり、困難となってきていることから、高い安全性と効力持続性を兼ね備えた木材防腐・防蟻剤の早期開発が望まれている。
【０００５】
そこで、安全性の高い桂皮アルデヒドを含むフェノール誘導体を基剤とする木材防腐剤が提案されている（特許文献１）。また、桂皮アルデヒド誘導体であるｏ−メトキシ桂皮アルデヒドなどのアルデヒド化合物が、白アリに対する殺蟻と忌避の両方の活性を示すことが知られており（非特許文献１）、桂皮アルデヒドを含む芳香族アルデヒドによる昆虫またはクモガタ綱動物の殺虫方法が提案されている（特許文献２）。さらに、ヒノキチオール、アリルカラシ油およびニンニク抽出物からなる群から選択される少なくとも一種および乳化剤を含有する乳剤を農作物栽培用施設内において加熱して施設内に揮発、拡散させ施設内の除菌、減菌、害虫の忌避、芳香付加を行なう農作物の保護方法が提案されている（特許文献３）。しかしながら、上記公報のいずれにも桂皮アルデヒドのオキシム化物に関する記載はない。
【０００６】
また、木材腐朽菌に対する抗菌活性を有するケトンとして代表される、青森ヒバ材などヒノキ科の木材に含まれるヒノキチオールなどのトロポロン系化合物は、木材の高耐久性の原因物質であることが報告されており、天然または合成のヒノキチオールを抗菌剤として種々の用途に応用する試みが行なわれ、木材防腐・防虫処理剤の成分としても利用されている（特許文献４）。
【０００７】
一方、塩酸ヒドロキシルアミン又は硫酸ヒドロキシルアミンを添着担持した活性炭よりなる低級アルデヒド類の吸着剤が提案されている（特許文献５）。
【０００８】
【特許文献１】
特開平１０−７５０３号公報（請求項２）
【特許文献２】
特表平１１−５０３４０６号公報（請求項１）
【特許文献３】
特開平１０−１５２４０３号公報（請求項２）
【特許文献４】
特開２００１−２７７２０８（請求項１）
【特許文献５】
特開昭５６−１１３３４２号公報（特許請求の範囲第１項）
【非特許文献１】
Ｍｏｋｕｚａｉ  ｇａｋｋａｉｓｈｉ    Ｖｏｌ．  ２４    Ｎｏ．  ４    ２６２−２６６頁（１９７８）（序文）
【０００９】
【発明が解決しようとする課題】
木材腐朽菌に対する抗菌活性および防蟻活性の少なくとも一方を有するアルデヒドまたはケトンのなかでも、桂皮アルデヒドは香料として食品添加物で指定されている物質であり、安全性については十分に評価されている。しかしながら、香料であるがゆえに桂皮様の臭いが強く、木材防腐・防蟻剤として使用する場合の作業性が問題となっていた。一方、ヒノキチオールにおいても、精油成分由来の臭いが強く作業性が問題となっていた。さらに、成分の揮散によって有効成分が減少することから、木材防腐・防蟻剤に求められる長期間の効力持続性が問題となっていた。
【００１０】
この発明は、安全性の高い有効成分を使用して、オオウズラタケ、カワラタケなどの木材腐朽菌に対する強力な防除効果および／または防蟻効果を発揮するとともに、取扱い性および作業性に優れ、かつ、有効成分の残存性の高い木材防腐・防蟻剤を提供することを課題とする。
【００１１】
【課題を解決するための手段】
この発明の発明者は、上記の課題を解決すべく鋭意研究を行った結果、木材腐朽菌に対する抗菌活性および防蟻活性の少なくとも一方を有するアルデヒドまたはケトンをオキシム化することにより、前記活性が維持あるいは増強でき、さらにアルデヒドまたはケトンの有する臭気が抑制できる事実を見出し、この発明を完成するに到った。
【００１２】
かくしてこの発明によれば、木材腐朽菌に対する抗菌活性および防蟻活性の少なくとも一方を有するアルデヒドまたはケトンのオキシム化物を有効成分として含有する木材防腐・防蟻剤が提供される。
【００１３】
また、この発明によれば、木材腐朽菌に対する抗菌活性および防蟻活性の少なくとも一方を有するアルデヒドまたはケトンのオキシム化物を有効成分として含有する木材防腐・防蟻剤で木材を処理することを特徴とする木材の処理方法が提供される。
【００１４】
【発明の実施の形態】
この発明において、アルデヒドまたはケトンのオキシム化物は、アルデヒドまたはケトンと、塩酸ヒドロキシルアミン、硫酸ヒドロキシルアミンなどのヒドロキシルアミン化合物とを反応させる公知のオキシム化反応により得ることができる。
【００１５】
上記オキシム化反応にあたり、アルデヒドまたはケトンとヒドロキシルアミン化合物との反応割合は、通常、モル比で１：１とするのが好ましいが、上記オキシム化反応後に、未反応のアルデヒドまたはケトンあるいはヒドロキシルアミン化合物が残存し、反応生成物であるアルデヒドまたはケトンのオキシム化物と共存しても、この発明の木材防腐・防蟻剤の効果に影響を及ぼすものではない。
【００１６】
この発明において、木材腐朽菌に対する抗菌活性および防蟻活性の少なくとも一方を有するアルデヒドとしては、桂皮アルデヒド、シトラール、シトロネラール、フェルラアルデヒド（ＭＦ１７８）、バニリン、プロトカテキュアルデヒド、ペリリルアルデヒド、ミルテナールなどが挙げられ、木材防腐・防蟻効果の点から桂皮アルデヒドを用いるのが好ましい。
【００１７】
また、この発明において、木材腐朽菌に対する抗菌活性および防蟻活性の少なくとも一方を有するケトンとしては、ヒノキチオール（β−ツヤプリシン）、α−ツヤプリシン、γ−ツヤプリシン、β−ドラブリン、ノートカチンなどのトロポロン系化合物、ベンゾキノン、ナフトキノン、アントラキノンなどのキノン誘導体、カルボン、カルボメントン、グリシルレチン酸、グリシン、ショウノウなどが挙げられる。
上記アルデヒドおよびケトンのいずれの化合物も、天然物からの抽出品、合成品およびそれらの化合物を含有する精油などを問わず、市販されているものを好適に用いることができる。
【００１８】
この発明の木材防腐・防蟻剤の剤型としては、使用目的により液剤（例えば水溶剤、水和剤（フロアブル製剤）、乳剤、油剤）、固型剤（例えば粉剤、粒剤）、エアゾール剤など種々の剤型が可能であるが、水溶剤、乳剤または油剤が好ましく、水溶剤が特に好ましい。また、上記いずれの製剤も公知の方法を利用して製剤化することができる。
以下に、この発明の木材防腐・防蟻剤の製剤法について述べる。
【００１９】
水溶剤とする場合には、通常、有効成分を有機溶媒に溶解したものを界面活性剤および水に加えて製剤化する。また、水溶剤を木材に塗布処理した場合の被膜形成のために、必要に応じて水溶剤に樹脂エマルションを添加してもよい。水溶剤において、有効成分を溶解させる有機溶媒としては、アルコール系溶媒やカーボネート系溶媒が好適に用いられる。
【００２０】
この発明の木材防腐・防蟻剤を水溶剤とする場合に好適に用いられる有機溶媒を以下に例示する。
１）  脂肪族炭化水素系
ｎ−ヘキサン、シクロヘキサン、ヘプタン、オクタンなど
２）  芳香族炭化水素系
キシレン、トルエン、エチルベンゼン、クメンなど
３）  エステル系
酢酸エチル、酢酸メチル、酢酸ｎ−ブチル、酢酸アミルなど
４）  アルコール系
イソブタノール、ｓｅｃ−ブタノール、２−エチル−１−ブタノール、イソペンタノール、１−ヘプタノール、１−オクタノール、ネオペンチルアルコール、ジエチレングリコール、ジエチレングリコールモノメチルエーテル（ＭＤＧ）など
５）  ケトン系
アセトン、メチルエチルケトン、メチルイソブチルケトン、メチルアミルケトン、シクロヘキサノンなど
６）  カーボネート
エチレンカーボネート、ブチレンカーボネート、プロピレンカーボネート、ジメチルカーボネートなど
上記の有機溶媒は、単独でまたは２種以上のものを組み合わせて用いることができる。
【００２１】
水溶剤としては、カチオン系界面活性剤、アニオン系界面活性剤、ノニオン系界面活性剤または両性界面活性剤のいずれも使用できるが、製剤の安定性の点でノニオン系界面活性剤が好ましい。ノニオン系界面活性剤としては、例えば、ソルビタン型、アルキルエーテル型、アルキロールアミド型および多環フェニル型の界面活性剤などが挙げられる。
【００２２】
樹脂エマルションとしては、例えば、ポリ酢酸ビニル樹脂エマルション（樹脂固形分率４０〜５０％、平均分子量２，０００〜１００，０００）、ポリ酢酸ビニル・エチレン共重合体樹脂エマルション（樹脂固形分率４０〜５０％、平均分子量２，０００〜１００，０００）、ポリアクリル酸エステル樹脂エマルション（樹脂固形分率３０〜４０％、粘度１００〜５００ｃＰｓ、平均分子量３，０００〜５０，０００）が挙げられる。
【００２３】
水溶剤は、通常、有効成分を例えばアルコール系溶媒に溶解したものを界面活性剤および水に加えて製剤化する。水溶剤は、製剤を１００重量部としたとき、有効成分量が１〜２５重量部、残部を有機溶媒と水と界面活性剤とするのが好ましい。これらの水溶剤は、使用時に水で所定の倍率、例えば２〜１０倍に希釈して使用することもできる。
【００２４】
また、水和剤（フロアブル製剤）は、製剤を１００重量部としたとき、有効成分が１〜２５重量部、乳化剤または増粘剤（例えばポリアクリル酸またはその塩、ポリビニルアルコール）が１０〜４０重量部程度とするのが好ましい。
【００２５】
乳剤とする場合には、通常、有効成分を乳化のための乳化剤と混合し、これに有機溶媒と水を加えて製剤化する。また、乳剤を木材に塗布処理した場合の被膜形成のために、必要に応じて水溶剤で例示された樹脂エマルションを乳剤に添加してもよい。乳剤において、有効成分を溶解させる有機溶媒としては、疎水性有機溶媒が好適に用いられる。
【００２６】
乳剤は、製剤を１００重量部としたとき、有効成分量が１〜２５重量部、残部を有機溶媒、水および界面活性剤、さらには樹脂エマルションとするのが好ましい。これらの乳剤は、使用時に水で所定の倍率、例えば２〜１０倍に希釈して使用される。
【００２７】
油剤とする場合には、水溶剤で例示された有機溶媒の他、灯油、重油、スピンドル油などの炭化水素溶媒を用いて製剤化する。油剤は、製剤を１００重量部としたとき、有効成分量が１〜４５重量部とするのが好ましい。
【００２８】
粉剤とする場合には、通常、有効成分を固体希釈剤（例えばカオリン、クレー、ベントナイト、ＣＭＣ、二酸化チタン、ホワイトカーボン、タルク、木粉、澱粉、デキストリン、シリカゲル粉末、水酸化カルシウムなどのカルシウム塩、無水石膏など）で希釈し、混合粉砕して製剤化する。
また、粒剤とする場合には、前記粉剤を成形して製剤化する。
粉剤および粒剤のような固型剤は、製剤を１００重量部としたとき、有効成分量が０．１〜２０重量部とするのが好ましい。
【００２９】
エアゾール剤とする場合、有機溶媒としては、水溶剤で例示された有機溶媒を使用することができる。また、噴射剤としては、代替フロン、液化天然ガスを好適に用いることができる。使用時には、これを噴霧部と弁を備えた気密容器に加圧充填して用いる。
【００３０】
この発明によれば、木材腐朽菌に対する抗菌活性および防蟻活性の少なくとも一方を有するアルデヒドまたはケトンとヒドロキシルアミン化合物とを混合し、有効成分とした木材防腐・防蟻剤で木材を処理することを特徴とする木材の処理方法が提供される。具体的には、木材処理用の減圧・加圧可能な注入缶、薬液貯蔵・回収用タンクおよびこれらを接続する配管から構成される木材注入処理系内で、木材を常法により処理することからなる木材の防腐・防蟻処理方法が提供される。
木材の処理方法は、この減圧・加圧注入法のほかに、塗布、浸漬、噴霧などの通常の方法であってもよい。
【００３１】
この方法で木材に注入されるべき処理剤中のアルデヒドまたはケトンのオキシム化物の量は、処理される木材の種類や用途、形状によっても左右されるが、通常、木材１ｍ３当たり、約３．２〜３２ｋｇである。そのためには処理液中の有効成分の濃度を４〜４０ｇ／ｋｇとすると都合がよい
【００３２】
この発明の木材防腐・防蟻剤は、多くの既存の木材防腐・防蟻・防カビ剤と混合して使用することができる。混合できる木材防腐剤としては、例えばヒノキチオール（別名：β−ツヤプリシン）、α−ツヤプリシン、γ−ツヤプリシン、β−ドラブリン、ノートカチンなどのトロポロン系化合物、４−クロルフェニル−３−ヨードプロパギルフォルマール、３−エトキシカルビニルオキシ−１−ブロム−１，２−ヨードプロペン、３−ヨード−２−ユーピロベニルブチルカーバメートなどの有機ヨード系化合物類、ナフテン酸銅、ナフテン酸亜鉛などのナフテン酸金属塩類、Ｎ−ニトロン−シクロヘキシルヒドロキシルアミンアルミニウムなどのヒドロキシルアミン系化合物類、モノクロルナフタリンなどのナフタリン系化合物類、Ｎ−メトキシ−Ｎ−シクロヘキシル−４−（２，５−ジメイルフラン）カルバリニドなどのアニリド系化合物類、Ｎ，Ｎ−ジメチル−Ｎ’−フェニル−Ｎ’（ジクロフルオロメチルチオ）スルファミドなどのハロアルキルチオ系化合物類、テトラクロルイソフタロニトリルなどのニトリル系化合物類、クレオソート油などのタール系化合物類、ジニトロフェノール、ジニトロクレゾール、クロロニトロフェノール、２，５−ジクロロ−４−ブロモフェノールなどのフェノール類、ジデシルジメチルアンモニウムクロライド、ジデシルジメチルアンモニウムアジペート、Ｎ−アルキルベンジルメチルアンモニウムクロライドなどの第４級アンモニウム塩類、ホルマリン、グルタルアルデヒド、パラホルムアルデヒドなどのアルデヒド類、ＴＢＴＯ、トリブチルスズフタレートなどの有機スズ類、エタノール、イソプロパノール、プロパノールなどのアルコール類、５−クロロ−２−メチル−４−イソチアゾリン−３−オン、１，２−ベンゾイソチアゾリン−３−オン、２−ｎ−オクチル−４−イソチアゾリン−３−オン、４，５−ジクロロ−２−オクチル−４−イソチアゾリン−３−オン、またはそれらの金属塩などのイソチアゾロン系化合物類、その他パーメスリン、テブコナゾール、シプロコナゾール、プロピコナゾール、アザコナゾール、２−メルカプトベンゾチアゾールなどの有機化合物類、ヒ素化合物、五酸化二ヒ素、ヒ酸水素ナトリウム、ヒ酸、クロム化合物、三酸化クロム、二クロム酸カリウム、二クロム酸ナトリウム、二クロム酸アンモニウム、銅化合物、酸化第二銅、硫酸銅、硝酸銀、ふっ化ナトリウム、けいふっ化銅、けいふっ化亜鉛、ホウ酸、ホウ酸ナトリウム、酸化アンチモンなどの無機化合物類などが挙げられる。
【００３３】
また、混合できる木材防蟻剤としては、例えばヒノキチオールなどのトロポロン系化合物、ヒバ油、中性ヒバ油などの精油、デカン酸などのアルキルカルボン酸誘導体、デカン酸などを含むヤシ油誘導体、ホキシム、クロルホピリス、ピリダフェンチオン、テトラクロルビンホス、フェニトロチオン、プロペンタンホスなどの有機リン系化合物類、ペルメトリン、トラロメスリン、アレスリンなどのピレスロイド系化合物類、シラフルオフェン、エントフェンブロックスなどのピレスロイド様化合物類、プロボクサル、バッサなどのカーバメート系化合物類、トリプロピルイソシアヌレートなどのトリアジン系化合物類、モノクロルナフタリンなどのナフタリン系化合物類、オクタクロロジプロピルエーテルなどの塩素化ジアルキルエーテル添加系化合物類、イミダクロプリドなどのクロルニコチニル化合物類などが挙げられる。
【００３４】
さらに、木材防カビ剤としては、例えば２−（４−チアゾリル）ベンツイミダゾール、３−ヨード−２−プロピニルブチルカーバメート、２−（４−チオシアノメチルチオ）ベンゾチアゾール、メチレンビスチオシアネートなどが挙げられる
。
【００３５】
また、この発明の木材防腐・防蟻剤は、一般に建築用、土木工事用および紙・パルプなど工業製品製造用繊維原料用の木材を対象とするが、特に環境、種々の条件などにより木材腐朽菌が発生しやすいアカマツ、スギおよびブナなどに好適に用いることができる。
【００３６】
この発明の木材防腐・防蟻剤で処理された木材を、浸透性・造膜性を有する硬化型合成樹脂塗料でさらに全面塗装処理すれば、処理済みの木材を屋外で使用しても有効成分の揮発や溶脱が抑制され、防腐・防蟻効果がより一層補強され、屋外での長期使用にも十分耐え得る性能を付与することができる。そのような硬化型合成樹脂塗料としては、例えばポリウレタン樹脂塗料などが挙げられる。
【００３７】
【実施例】
この発明を実施例によりさらに詳細に説明するが、これらの実施例によりこの発明が限定されるものではない。
【００３８】
下記の有効成分、界面活性剤および有機溶媒を混合、撹拌することにより木材防腐剤製剤を調製した。
製剤例１
桂皮アルデヒド                                            １．５重量部
塩酸ヒドロキシルアミン                                  ０．７９重量部
水酸化ナトリウム                                        ０．４５重量部
ノニオン系界面活性剤（三洋化成工業（株）製、イオネットＴ−６０ｃ）  １６重量部
アルコール系溶媒                                            １０重量部
カーボネート系溶媒                                            ５重量部
水                                                    ６６．２６重量部
【００３９】
製剤例２
桂皮アルデヒド                                            １．５重量部
塩酸ヒドロキシルアミン                                  ０．７９重量部
水酸化ナトリウム                                        ０．４５重量部
ヒバ油（ヒノキチオールを２重量％含有）                        ２重量部
ノニオン系界面活性剤（三洋化成工業（株）製、イオネットＴ−６０ｃ）  １６重量部
アルコール系溶媒                                            １０重量部
カーボネート系溶媒                                            ５重量部
水                                                    ６４．２６重量部
【００４０】
製剤例３
桂皮アルデヒド                                            １．５重量部
塩酸ヒドロキシルアミン                                  ０．７９重量部
水酸化ナトリウム                                        ０．４５重量部
ホウ酸                                                        ２重量部
ノニオン系界面活性剤（三洋化成工業（株）製、イオネットＴ−６０ｃ）  １６重量部
アルコール系溶媒                                            １０重量部
カーボネート系溶媒                                            ５重量部
水                                                    ６４．２６重量部
【００４１】
製剤例４
桂皮アルデヒド                                            １．５重量部
塩酸ヒドロキシルアミン                                  ０．７９重量部
水酸化ナトリウム                                        ０．４５重量部
ホウ酸ナトリウム                                              ２重量部
ノニオン系界面活性剤（三洋化成工業（株）製、イオネットＴ−６０ｃ）  １６重量部
アルコール系溶媒                                            １０重量部
カーボネート系溶媒                                            ５重量部
水                                                    ６４．２６重量部
【００４２】
製剤例５
桂皮アルデヒド                                            １．５重量部
塩酸ヒドロキシルアミン                                  ０．７９重量部
水酸化ナトリウム                                        ０．４５重量部
４−クロルフェニル−３−ヨードプロパギルフォルマール          ２重量部
ノニオン系界面活性剤（三洋化成工業（株）製、イオネットＴ−６０ｃ）  １６重量部
アルコール系溶媒                                            １０重量部
カーボネート系溶媒                                            ５重量部
水                                                    ６４．２６重量部
【００４３】
製剤例６
桂皮アルデヒド                                            １．５重量部
塩酸ヒドロキシルアミン                                  ０．７９重量部
水酸化ナトリウム                                        ０．４５重量部
ナフテン酸銅                                                  ２重量部
ノニオン系界面活性剤（三洋化成工業（株）製、イオネットＴ−６０ｃ）  １６重量部
アルコール系溶媒                                            １０重量部
カーボネート系溶媒                                            ５重量部
テレピン油                                                  １０重量部
水                                                    ５４．２６重量部
【００４４】
製剤例７
桂皮アルデヒド                                            １．５重量部
塩酸ヒドロキシルアミン                                  ０．７９重量部
水酸化ナトリウム                                        ０．４５重量部
ナフテン酸亜鉛                                                ２重量部
ノニオン系界面活性剤（三洋化成工業（株）製、イオネットＴ−６０ｃ）  １６重量部
アルコール系溶媒                                            １０重量部
カーボネート系溶媒                                            ５重量部
テレピン油                                                  １０重量部
水                                                    ５４．２６重量部
【００４５】
製剤例８
桂皮アルデヒド                                            １．５重量部
塩酸ヒドロキシルアミン                                  ０．７９重量部
水酸化ナトリウム                                        ０．４５重量部
ジデシルジメチルアンモニウムクロライド                        ２重量部
ノニオン系界面活性剤（三洋化成工業（株）製、イオネットＴ−６０ｃ）  １６重量部
アルコール系溶媒                                            １０重量部
カーボネート系溶媒                                            ５重量部
水                                                    ６４．２６重量部
【００４６】
製剤例９
桂皮アルデヒド                                            １．５重量部
塩酸ヒドロキシルアミン                                  ０．７９重量部
水酸化ナトリウム                                        ０．４５重量部
ジプロコナゾール                                              ２重量部
ノニオン系界面活性剤（三洋化成工業（株）製、イオネットＴ−６０ｃ）  １６重量部
アルコール系溶媒                                            １０重量部
カーボネート系溶媒                                            ５重量部
水                                                    ６４．２６重量部
【００４７】
製剤例１０
桂皮アルデヒド                                            １．５重量部
塩酸ヒドロキシルアミン                                  ０．７９重量部
水酸化ナトリウム                                        ０．４５重量部
プロピコナゾール                                              ２重量部
ノニオン系界面活性剤（三洋化成工業（株）製、イオネットＴ−６０ｃ）  １６重量部
アルコール系溶媒                                            １０重量部
カーボネート系溶媒                                            ５重量部
水                                                    ６４．２６重量部
【００４８】
製剤例１１
桂皮アルデヒド                                            １．５重量部
塩酸ヒドロキシルアミン                                  ０．７９重量部
水酸化ナトリウム                                        ０．４５重量部
テブコナゾール                                                ２重量部
ノニオン系界面活性剤（三洋化成工業（株）製、イオネットＴ−６０ｃ）  １６重量部
アルコール系溶媒                                            １０重量部
カーボネート系溶媒                                            ５重量部
水                                                    ６４．２６重量部
【００４９】
製剤例１２
桂皮アルデヒド                                            １．５重量部
塩酸ヒドロキシルアミン                                  ０．７９重量部
水酸化ナトリウム                                        ０．４５重量部
アザコナゾール                                                ２重量部
ノニオン系界面活性剤（三洋化成工業（株）製、イオネットＴ−６０ｃ）  １６重量部
アルコール系溶媒                                            １０重量部
カーボネート系溶媒                                            ５重量部
水                                                    ６４．２６重量部
【００５０】
製剤例１３
桂皮アルデヒド                                            １．５重量部
塩酸ヒドロキシルアミン                                  ０．７９重量部
水酸化ナトリウム                                        ０．４５重量部
３−ヨード−２−プロピニルブチルカーバメート                  ２重量部
ノニオン系界面活性剤（三洋化成工業（株）製、イオネットＴ−６０ｃ）  １６重量部
アルコール系溶媒                                            １０重量部
カーボネート系溶媒                                            ５重量部
水                                                    ６４．２６重量部
【００５１】
製剤例１４
桂皮アルデヒド                                            １．５重量部
塩酸ヒドロキシルアミン                                  ０．７９重量部
水酸化ナトリウム                                        ０．４５重量部
５−クロル−２−メチル−４−イソチアゾリン−３−オン          ２重量部
ノニオン系界面活性剤（三洋化成工業（株）製、イオネットＴ−６０ｃ）  １６重量部
アルコール系溶媒                                            １０重量部
カーボネート系溶媒                                            ５重量部
水                                                    ６４．２６重量部
【００５２】
製剤例１５
桂皮アルデヒド                                                １０重量部
塩酸ヒドロキシルアミン                                    ５．２６重量部
水酸化ナトリウム                                          ３．０３重量部
高級アルコール系界面活性剤（三洋化成工業（株）製、ナロアクティーＮ−１４０）４０重量部
アルコール系溶媒                                              １６重量部
カーボネート系溶媒                                            １０重量部
水                                                      １５．７１重量部
【００５３】
比較製剤例１
桂皮アルデヒド                                            １．５重量部
ノニオン系界面活性剤（三洋化成工業（株）製、イオネットＴ−６０ｃ）  １６重量部
アルコール系溶媒                                            １０重量部
カーボネート系溶媒                                            ５重量部
水                                                      ６７．５重量部
【００５４】
比較製剤例２
桂皮アルデヒド                                                １０重量部
高級アルコール系界面活性剤（三洋化成工業（株）製、ナロアクティーＮ−１４０）４０重量部
アルコール系溶媒                                              １６重量部
カーボネート系溶媒                                            １０重量部
水                                                            ２４重量部
【００５５】
試験例１（木材腐朽菌抑制効果確認試験）
（Ｂ培地の調製）
ペプトン                        ５ｇ
マルトエキス                  １０ｇ
グルコース                    ２５ｇ
リン酸二水素カリウム            ３ｇ
硫酸マグネシウム・７水和物      ２ｇ
上記組成に純水を添加して１０００ｍｌ溶液を調製した後、寒天２０ｇを添加して、Ｂ培地を得た。
【００５６】
農林水産省森林総合研究所（ＦＦＰＲＩ）で分離した木材防腐剤防腐性能試験用標準菌より継代培養したカワラタケ（Ｔｒａｍｅｔｅｓ  ｖｅｒｓｉｃｏｌｏｒ（Ｌ．：Ｆｒ．）Ｐｉｌａｔ  ＦＦＰＲＩ  １０３０、以下「ＣＯＶ」と略す。）とオオウズラタケ（Ｆｏｍｉｔｏｐｓｉｓ  ｐａｌｕｓｔｒｉｓ（Ｂｅｒｋ．ｅｔ  Ｃｕｒｔ．）Ｇｉｌｂｎ．＆Ｒｙｖ．  ＦＦＰＲＩ  ０５０７、以下「ＴＹＰ」と略す。）を接種し、予め２６℃で一週間培養した。滅菌済みのペトリ皿に、表１に示す供試薬剤２ｍＬずつを表１に記載の各濃度になるように添加した後、別に調製したＢ培地１８ｍＬを添加、混合し凝固させた後、一夜静置した。予め培養したＣＯＶおよびＴＹＰを直径５ｍｍの円筒状に取り出し、一夜静置したＢ培地の中央部に接種した。接種から１４日後に菌糸が成長した円形の直径を測定した（単位：ｃｍ）。
得られた結果を供試薬剤およびその添加量と共に表１に示す。
【００５７】
【表１】
2004244408.tif 000002
【００５８】
試験例２（徐放性確認試験）
１０ｍｌのメスフラスコに、製剤例１および比較製剤例１の製剤を約０．１ｇ正確に測り取り、メタノールでメスアップした。前記メタノール溶液０．５ｍｌを５ｍｌメスフラスコに採取し、メタノールでメスアップして、サンプル１Ａおよび比較サンプル１Ａを調製した。
また、１００ｍｌのビーカーに、製剤例１および比較製剤例１の製剤を約１０ｇ正確に測り取り、６０℃の送風乾燥器中で５日間乾燥した。それぞれの乾燥物にメタノール水溶液（体積比１：１）を加え、乾燥物重量を乾燥前の２倍量とした後、良く混ぜ合わせた。前記溶液０．５ｍｌを２０ｍｌメスフラスコに採取し、メタノールでメスアップした溶液０．５ｍｌを、さらに５ｍｌメスフラスコに採取し、メタノールでメスアップして、サンプル１Ｂおよび比較サンプル１Ｂを調製した。
【００５９】
測定はＣｈｅｍｃｏｓｏｒｂ  ５−ＯＤＳ−Ｈ  ／ＣｈｅｍｃｏＰａｋ製のカラムが付いたＨＩＴＡＣＨＩ製のＨＰＬＣ（Ｌ−５０２０型）にて行った。移動層にはメタノール水（体積比７：３）を使用し、２８０ｎｍを測定波長とした。なお、成分残存率は以下の式から求めた。
残存率（％）＝（乾燥後のＡＲＥＡ×測定時の希釈倍率）／（乾燥前のＡＲＥＡ×希釈倍率）×１００
【００６０】
【表２】
2004244408.tif 000003
【００６１】
試験例３（嗅覚試験）
２２名のパネラーによる製剤例１、比較製剤例１、比較製剤例２、さらにそれらの１０倍希釈製剤の嗅覚試験を行なった。すなわち、供試製剤の臭気の強いものから順に３点、２点、１点、０点と点数をつけ、それらの点数を合計した。結果を表３に示す。
【００６２】
【表３】
2004244408.tif 000004
【００６３】
試験例４（木材防腐効果確認試験）
下記製剤を用いて、ＪＩＳ  Ｋ１５７１：１９９８「木材防腐剤の性能基準及び試験方法」に準じて、木材防腐効果確認試験を行なった。その結果を表４に示す。但し、注入量は桂皮アルデヒド換算量を示す。
【００６４】
【表４】
2004244408.tif 000005
【００６５】
試験例５（木材防蟻効果確認試験）
前記製剤を用いて、（社）日本木材保存協会規格「加圧処理用木材防蟻剤の室内防蟻効力試験方法および性能基準」（ＪＷＰＳ−ＴＷ−Ｐ．１）に準じて、木材防蟻効果確認試験を行なった。その結果を表５に示す。但し、注入量は桂皮アルデヒド換算量を示す。
【００６６】
【表５】
2004244408.tif 000006
【００６７】
【発明の効果】
この発明によれば、安全性の高い有効成分を使用して、オオウズラタケ、カワラタケなどの木材腐朽菌に対する強力な防除効果、および／または防蟻効果を発揮するとともに、取扱い性および作業性に優れ、かつ、有効成分の残存性の高い木材防腐・防蟻剤を提供することができる。